(57)【要約】【課題】携帯端末を入力デバイスとして機能させ、インタネット等から取得した情報を比較的画面サイズの大きい表示装置に表示させることにより、取得した情報が簡単に確認できる情報表示システムを提供する。【解決手段】携帯端末５は表示装置２における画面表示を指定する際の入力デバイスとして機能する。携帯端末５で入力された入力コマンドは、無線基地局３介してサーバ装置１に送信される。サーバ装置１が、この入力コマンドを表示制御装置２に転送する。表示制御装置２は、サーバ装置１から転送されてきた入力コマンドに基づいて、表示装置４の表示画面を制御する。これにより、取得した情報の確認が表示装置４の画面上で行え、ユーザの操作性の向上が図れる。また、携帯端末５における入力操作を、キーではなくタッチパネルで行う構成としたので、入力操作もスムーズに行える。【選択図】図１
2004048554.tif 000002
【特許請求の範囲】
【請求項１】
表示装置における画面表示を制御する表示制御装置と、
上記表示制御装置に対して、上記表示装置における画面表示を指示するサーバ装置と、を接続したネットワークに無線基地局を設けるとともに、
上記無線基地局にアクセスし、上記サーバ装置に対して上記表示装置の画面上に表示されているカーソルの移動コマンド、および該表示装置に表示させる画面の選択コマンドを送信する携帯端末を備え、
上記サーバ装置は、上記携帯端末から送信されてきた上記カーソルの移動コマンド、および上記画面の選択コマンドに応じて、上記表示制御装置に対して上記表示装置における画面表示を指示し、
上記携帯端末は、上記カーソルの移動コマンド、および上記画面の選択コマンドを、携帯端末本体の表示部に設けられたタッチパネルの操作に基づいて送信する情報表示システム。
【請求項２】
上記携帯端末は、上記タッチパネルにおける操作位置の連続的な変化に応じて、上記カーソルの移動コマンドを送信する請求項１に記載の情報表示システム。
【請求項３】
上記携帯端末は、上記タッチパネルにおける操作開始位置が所定の領域であったとき、上記カーソルの移動コマンドを送信する請求項２に記載の情報表示システム。
【請求項４】
サーバ装置が、表示制御装置に対して、無線基地局を介して送信されてきた、表示装置の画面上に表示されているカーソルの移動コマンド、および該表示装置に表示させる画面の選択コマンドに応じて、表示制御装置に対して上記表示装置における画面表示を指示する情報表示システムで、入力デバイスとして使用される携帯端末であって、
上記無線基地局にアクセスし、上記サーバ装置に対して上記カーソルの移動コマンド、および上記画面の選択コマンドを、携帯端末本体の表示部に設けられたタッチパネルの操作に基づいて送信するコマンド送信手段を備えた携帯端末。
【発明の詳細な説明】
【０００１】
【発明の属する技術分野】
この発明は、表示装置における画面表示の切り換えを携帯端末で行う情報表示システム、およびこの情報表示システムで入力デバイスとして使用される携帯端末に関する。
【０００２】
【従来の技術】
従来、多くのユーザが、インタネットから自分の好みにあった情報を選択的に取得し、利用している。また、最近、外出中にも、インタネットから情報を取得できるように、携帯電話やＰＤＡ等の携帯端末を持って行動しているユーザが増加している。さらに、携帯端末の普及にともない、本格的にホットスポットが商用サービスとして開始され始めている。ホットスポットとは、ＩＥＥＥ８０２．１１Ｂや、ブルーツース（登録商標）等の近距離無線通信機能を有する携帯端末が接続できる無線ＬＡＮが構築された場所であり、ここでは無線ＬＡＮを介して携帯端末がインタネットに接続できるサービスをユーザに提供している。
【０００３】
【発明が解決しようとする課題】
しかしながら、携帯端末には、携帯に便利な小型、軽量化のために、画面サイズの小さい表示器が使用されている。このため、携帯端末では、多くの場合、インタネットから取得した情報を一度に（１画面に）表示できず、取得した情報の確認に画面スクロール等の操作が必要になり、取得した情報の確認に手間がかかり、操作性がよくないという問題があった。
【０００４】
この発明の目的は、携帯端末を入力デバイスとして機能させ、インタネット等から取得した情報を比較的画面サイズの大きい表示装置に表示させることにより、取得した情報が簡単に確認できる情報表示システムを提供することにある。
【０００５】
また、この発明は上記情報表示システムで入力デバイスとして使用される携帯端末を提供することを目的とする。
【０００６】
【課題を解決するための手段】
この発明の情報表示システムは、上記課題を解決するために以下の構成を備えている。
【０００７】
（１）表示装置における画面表示を制御する表示制御装置と、
上記表示制御装置に対して、上記表示装置における画面表示を指示するサーバ装置と、を接続したネットワークに無線基地局を設けるとともに、
上記無線基地局にアクセスし、上記サーバ装置に対して上記表示装置の画面上に表示されているカーソルの移動コマンド、および該表示装置に表示させる画面の選択コマンドを送信する携帯端末を備え、
上記サーバ装置は、上記携帯端末から送信されてきた上記カーソルの移動コマンド、および上記画面の選択コマンドに応じて、上記表示制御装置に対して上記表示装置における画面表示を指示し、
上記携帯端末は、上記カーソルの移動コマンド、および上記画面の選択コマンドを、本体の表示部に設けられたタッチパネルの操作に基づいて送信する。
【０００８】
この構成では、表示制御装置が表示装置における画面表示を制御し、サーバ装置が表示制御装置に対して表示装置における画面表示を指示する。表示制御装置、およびサーバ装置はネットワーク、例えばＬＡＮで接続されている。このネットワークには、無線基地局が接続されている、所謂無線ＬＡＮである。
【０００９】
携帯端末は、この無線基地局にＩＥＥＥ８０２．１１Ｂや、ブルーツース（登録商標）等の近距離無線通信でアクセスできる。携帯端末は、本体の表示部に設けられたタッチパネルの操作に基づいて、上記表示装置の画面上に表示されているカーソルの移動コマンド、および該表示装置に表示させる画面の選択コマンドを、上記無線基地局を介して上記サーバ装置に送信する。携帯端末は、所謂ポインティングデバイスとしての機能、および文字入力機能を併せ持った、入力デバイスとして機能する。
【００１０】
ここで、カーソルの移動コマンドとは表示装置の画面上に表示されているカーソルの移動を指示するコマンドであり、画面の選択コマンドとはインタネット上のアクセスポイントを示すＵＲＬの指定や、表示装置の画面上に表示されているカーソルが指定しているリンク先の選択指定等のコマンドである。
【００１１】
サーバ装置は、携帯端末から送信されてきた上記カーソルの移動コマンドや、上記画面の選択コマンドに応じて、表示制御装置に対して表示装置における画面表示を指示する。例えば、携帯端末からカーソルの移動コマンドが送信されてくると、今回送信されてきた移動コマンドに応じて表示装置に対してカーソルの表示位置の移動を指示し、選択コマンドが送信されてくると、今回送信されてきた選択コマンドに応じた画面の表示を指示する。
【００１２】
このように、携帯端末が、表示装置における画面表示の指示を入力する入力デバイスとして機能させたので、携帯端末を操作してインタネット等から取得した情報を、携帯端末本体に設けられた小さい表示器ではなく、比較的大画面の表示装置に表示させ、該情報を確認することができる。したがって、取得した情報の確認が簡単に行え、操作性を向上させることができる。
【００１３】
また、携帯端末における入力操作を、キーではなくタッチパネルで行う構成としたので、入力操作が感覚的に行える。
【００１４】
（２）上記携帯端末は、上記タッチパネルにおける操作位置の連続的な変化に応じて、上記カーソルの移動コマンドを送信する。
【００１５】
この構成では、タッチパネルの操作位置の連続的な変化を、上記カーソルの移動コマンドとして送信する構成としたので、カーソルを移動させる際の操作が違和感のないスムーズな操作で実現できる。
【００１６】
（３）上記携帯端末は、上記タッチパネルにおける操作開始位置が所定の領域であったとき、上記カーソルの移動コマンドを送信する。
【００１７】
この構成では、操作開始位置を所定の領域にすることで、タッチパネル全体がカーソルの移動時における操作範囲として使用でき、カーソルの移動にかかる入力操作が一層スムーズに行える。
【００１８】
【発明の実施の形態】
以下、この発明の実施形態である情報表示システムについて説明する。
【００１９】
図１は、この実施形態にかかる情報表示システムの構成を示す図である。図１において、１はサーバ装置であり、２は表示制御装置であり、３は無線基地局である。サーバ装置１、表示制御装置２、無線基地局３はＬＡＮに接続されている。図１に示すように、表示制御装置２はＬＡＮに複数（図１では５台）接続されており、表示制御装置２毎に表示装置４が接続されている。表示装置４は、比較的大画面、例えば５０インチ、である。各表示装置４には、シリアル番号（１〜５）がつけられている。表示装置４は、１箇所に集めて設置されているのではなく、それぞれ離れた場所に設置されている。
【００２０】
サーバ装置１は、表示制御装置２にＬＡＮを介して映像信号を送信する映像配信サーバや、ＬＡＮに接続されている装置をコントロールするコントロールサーバ等、複数台の装置で構成されている。表示制御装置２は、接続されている表示装置４における画面表示を制御する。具体的には、表示制御装置２はＬＡＮを介して取得した情報、例えばインタネット（不図示）から取得した情報、に基づく映像信号を表示装置４の外部入力端子に入力する。表示制御装置２は、表示装置４に対して音声信号も入力する。表示装置４は、スピーカを備えており、該スピーカから本体に入力された音声信号に基づく音声を出力する。
【００２１】
また、表示制御装置２に、ＬＡＮを介してサーバ装置１から送信されてきた映像信号をデコードし、表示装置４に入力するデコーダ、例えばＭＰＥＧのデコーダ、を設けてもよいし、該デコーダをＬＡＮに接続し、このデコーダの出力を表示装置４の外部入力端子から入力するように構成してもよい。この場合には、表示制御装置２に、表示装置４に表示させる映像を、インタネットから取得した情報とするか、サーバ装置１から送信されてきた映像信号とするかを切り換える機能を設ければよい。具体的には、表示装置４において有効とする外部入力端子を切り換える機能を、表示制御装置２に設ければよい。
【００２２】
なお、表示制御装置２は、ＬＡＮを介してインタネットに接続し、指定された情報を取得する機能を有している。
【００２３】
また、図１に示す５は例えば携帯電話、ＰＤＡ等の携帯端末である。この携帯端末５は、無線通信機能を有し、ＬＡＮに接続されている無線基地局３にアクセスできる。携帯端末５と無線基地局３との間における無線通信は、２．４ＧＨｚ帯を使用するＩＥＥＥ８０２．１１Ｂや、ブルーツース（登録商標）で行われる。
【００２４】
図２は、この発明の実施形態である携帯端末の構成を示すブロック図である。携帯端末５の構成を示すブロック図である。携帯端末５は、本体の動作を制御する制御部１１と、無線通信を制御する通信部１２と、表示部１３と、本体に対する入力操作を行う入力部１４と、を備えている。通信部１２は、本体に内蔵された機能でなく、本体に装着された無線カードで実現される機能であってもよい。入力部１４には、表示部１３の画面上に配置されたタッチパネル１４ａが含まれている。
【００２５】
次に、この実施形態の情報表示システムの動作について説明する。
【００２６】
ユーザが利用していない、表示装置４の表示画面には適当な映像が表示されている。例えば、サーバ装置１が、適当な映像信号や音声信号を表示制御装置２（またはデコーダ）に送信し、表示制御装置２（またはデコーダ）がサーバ装置１から送信されてきた映像信号および音声信号をデコードし、表示装置４に入力している。また、カメラ（不図示）で、表示装置４の設置場所付近を撮影した撮影画像を表示装置４に入力し、表示させてもよい。
【００２７】
また、上記適当な映像を、企業や店舗の広告、表示装置４の設置場所付近の公園や娯楽施設の情報にすることで、該表示装置４の周囲にいる不特定多数の個人に対して有効な情報の配信が行える。
【００２８】
なお、表示装置４において、表示する映像は動画であってもよいし、静止画であってもよい。
【００２９】
図３は、この実施形態の情報表示システムにおけるサーバ装置の動作を示すフローチャートである。サーバ装置１は、ユーザが現在使用していない表示装置４について、使用要求が送信されてくるのを待っている（ｓ１）。この表示装置４の使用要求は、携帯端末５を所持しているユーザ（表示装置４の使用を希望するユーザ）が送信する。具体的には、ユーザが携帯端末５において所定の操作を行って無線基地局３にアクセスし、接続された無線基地局３を介してサーバ装置１に表示装置４の使用要求を送信する。この使用要求には、ユーザが使用を希望する表示装置４に付けられているシリアル番号が含まれている。また、この使用要求には、携帯端末５を識別する識別コードも含まれている。
【００３０】
より具体的には、ユーザは、携帯端末５の表示部１３に、図４に示す表示画面を表示させ、使用を希望する表示装置４の番号を入力し（ＬＡＮに複数台接続されている場合）、接続のアイコンが表示されている領域を押下する。上述のように、携帯端末４の表示部１３にはタッチパネル１４ａが設けられている、携帯端末４は、接続のアイコンを表示している領域が押下されたことを検出すると、無線基地局３にアクセスする。携帯端末４は、無線基地局３へのアクセスに成功すると、ユーザによって入力された使用を希望する表示装置４のシリアル番号、および携帯端末５の識別コードを含む上記使用要求を無線基地局３を介して、ＬＡＮ経由でサーバ装置１に送信する。携帯端末５と無線基地局３との通信は、上記のようにＩＥＥＥ８０２．１１Ｂや、ブルーツース（登録商標）で行われる。
【００３１】
サーバ装置１は、ｓ１で使用要求を受信すると、該使用要求において希望された表示装置４を、現在別のユーザが使用していないかどうかを判断する（ｓ２）。ここで、今回希望された表示装置４を、現在別のユーザが使用していると判断すると、使用要求を送信してきた携帯端末５に対して、その旨を返送し（ｓ３）、ｓ１に戻る。
【００３２】
反対に、サーバ装置１はｓ２で今回希望された表示装置４が現在使用されていないと判断すると、今回使用要求を送信してきた携帯端末５に対して、表示装置４の使用を許可し（ｓ４）、ｓ１に戻る。このとき、表示装置４の表示画面に、表示装置４の使用を許可した旨のメッセージを表示させ、ユーザに表示装置４の使用を許可したことを通知してもよい。
【００３３】
また、サーバ装置１は、上記図３に示した処理と並列に、図５に示す処理を実行している。この処理は、上記図３に示した処理で、使用を許可した表示装置４毎に実行される。
【００３４】
サーバ装置１は、ｓ４で表示装置４の使用を許可した携帯端末５から入力コマンドが送信されてくるか、または予め定められている所定時間経過するのを待つている（ｓ１１、ｓ１２）。サーバ装置１は、入力コマンドが送信されてくることなく、所定時間経過すると、ユーザが表示装置４の使用を中止したと判断し、この表示装置４を現在使用されていない表示装置４として管理し（ｓ１４）、本処理を終了する。反対に、サーバ装置１は、所定時間経過する前に、入力コマンドが送信されてくると、該入力コマンドを表示制御装置２に転送し（ｓ１３）、ｓ１１に戻る。
【００３５】
ここで、携帯端末５からサーバ装置１に送信されてくる入力コマンドには、
▲１▼表示装置４の表示画面に表示させる情報のＵＲＬを含むＵＲＬコマンド、
▲２▼表示装置４の表示画面に表示されているカーソルの移動を指示する移動コマンド、
▲３▼表示装置４の表示画面に表示されているカーソルが指定しているリンク先への移動を指示する選択コマンド、
▲４▼表示装置４の使用終了を示す終了コマンド、
がある。
【００３６】
例えば、上記ＵＲＬコマンドをサーバ装置１に送信するユーザは、携帯端末５の表示部１３に図６に示す文字入力画面を表示させ、この画面上でＵＲＬ等を入力し、サーバ装置１に送信する。また、移動コマンドをサーバ装置１に送信するユーザは、図４または図６に示すドラッグ領域内を最初に押下し、その後連続的にタッチパネルの操作位置（押下位置）を変化させる。これにより、携帯端末５からタッチパネル１４ａの押下位置の変化に応じたカーソルの移動コマンドがサーバ装置１に送信される。移動コマンドの送信は、タッチパネル１４ａの押下が停止されるまで継続される。このとき、ユーザはタッチパネル１４ａ全体を操作領域として使用できる。また、選択コマンドをサーバ装置１に送信するユーザは、図４または図６に示すクリック領域内を押下する。これにより、携帯端末５から選択コマンドがサーバ装置１に送信される。さらに、上記終了コマンドをサーバ装置１に送信するユーザは、図４または図６に示す終了領域を押下する。これにより、携帯端末５からサーバ装置１に終了コマンドが送信される。
【００３７】
サーバ装置１は、上記のように携帯端末５から送信されてきた入力コマンドについては、何ら処理を行うことなく表示制御装置２に転送する。これにより、サーバ装置１の負荷を抑えることができる。表示制御装置２は、サーバ装置１から転送されてきた入力コマンドに応じて、表示装置４における画面表示を制御する。具体的には、上記ＵＲＬコマンドを受信したときには、このＵＲＬコマンドに含まれているＵＲＬで指示されている情報をインタネットから取得し、ここで取得した情報を表示装置４の画面に表示する。
【００３８】
なお、表示制御装置２は、ＬＡＮ経由でインタネットに接続できる。
【００３９】
また、表示制御装置２は、サーバ装置１から移動コマンドが転送されてきたときには、表示装置４の表示画面におけるカーソルの位置を、ここで転送されてきている移動コマンドに基づいて移動させる。また、表示制御装置２は、サーバ装置１から選択コマンドが転送されてきたときには、表示装置４の表示画面におけるカーソルが指定しているリンク先の情報をインタネットから取得し、ここで取得した情報を表示装置４の画面に表示する。
【００４０】
さらに、表示制御装置２はサーバ装置１から終了コマンドが送信されてきたときには、表示装置４の表示画面の映像を、使用されていないときの映像に戻す。
【００４１】
なお、携帯端末５から終了コマンドが送信されてきた場合、表示制御装置２において使用されていない状態になった表示装置４が、サーバ装置１では現在使用されている表示装置４として管理されることになるが、所定時間経過後にサーバ装置１においても現在使用されていない表示装置４として管理されるので、特に問題はない。
【００４２】
また、携帯端末５から終了コマンドが送信されてきた場合、サーバ装置１がこの終了コマンドを表示制御装置２に転送するとともに、この時点で現在使用されていない表示装置４として管理するようにしてもよい。
【００４３】
このように、この実施形態の情報表示システムでは、ユーザが所持している携帯端末５を入力デバイスとして機能させ、携帯端末５における入力操作に基づいて取得した情報を比較的大画面の表示装置４に表示させるようにしたので、取得した情報の確認が簡単に行え、ユーザにおける操作性の向上が図れる。
【００４４】
また、携帯端末５における入力をタッチパネル１４ａで行う構成としたので、携帯端末５の表示部１３の画面を押下するという簡単な操作で入力が行え、さらには表示装置４の画面上に表示されているカーソルを移動させるときには、表示部１３に表示されているドラッグ領域内を最初に押下し、その後連続的にタッチパネルの操作位置（押下位置）を変化させる操作であるので、表示装置４の表示画面に表示されているカーソルの移動が感覚的に行える。しかも、表示部１３に設けられているタッチパネル１４ａ全体を操作領域として使用できるので、操作性の一層の向上が図れる。
【００４５】
また、サーバ装置１において、表示制御装置２や表示装置４の状態、例えば、本体温度、を監視させ、異常時には電源を切る等の制御を行わせてもよい。
【００４６】
また、表示装置４の画面上に表示させた情報を、携帯端末５に転送する機能を表示制御装置２に設けてもよい。このようにすれば、表示装置４を利用して確認した情報を、携帯端末５に記憶させることができ、ユーザが表示装置４の使用終了後においても、この情報を必要に応じて携帯端末５で確認できる。
【００４７】
【発明の効果】
以上のように、この発明によれば、携帯端末を入力デバイスとして機能させ、インタネット等から取得した情報を比較的画面サイズの大きい表示装置に表示させたので、取得した情報が簡単に確認できるる。これにより、ユーザの操作性の向上が図れる。
【００４８】
また、携帯端末における入力操作を、キーではなくタッチパネルで行う構成としたので、入力操作もスムーズに行える。
【図面の簡単な説明】
【図１】この発明の実施形態である情報表示システムの構成を示す図である。
【図２】この発明の実施形態である携帯端末の構成を示すブロック図である。
【図３】この実施形態の情報表示システムにおけるサーバ装置の動作を示すフローチャートである。
【図４】この実施形態の情報表示システムにおける携帯端末の表示部の表示画面例を示す図である。
【図５】この実施形態の情報表示システムにおけるサーバ装置の動作を示すフローチャートである。
【図６】この実施形態の情報表示システムにおける携帯端末の表示部の表示画面例を示す図である。
【符号の説明】
１−サーバ装置
２−表示制御装置
３−無線基地局
４−表示装置
５−携帯端末
１４ａ−タッチパネル
【図１】
2004048554.tif 000003
【図２】
2004048554.tif 000004
【図３】
2004048554.tif 000005
【図４】
2004048554.tif 000006
【図５】
2004048554.tif 000007
【図６】
2004048554.tif 000008